(57)【要約】【課題】磁石群と電磁弁カートリッジとの間において組立て時に常に所定の相対位置を得ることができ、ひいては機能特性値におけるばらつきを回避することができる電磁石を提供する。【解決手段】電磁弁であって、電磁弁カートリッジ３が設けられていて、該電磁弁カートリッジ３がポット形のハウジング１３と極コア１４と可動子１５とを有しており、さらに磁石群２が設けられていて、該磁石群２がコイル体７と巻線８とを有しており、磁石群２が電磁弁カートリッジ３を取り囲んで配置されている形式のものにおいて、磁石群２が電磁弁カートリッジ３に対して予め規定された所定の位置を占めるように、磁石群２に対して半径方向の力Ｆ１，Ｆ２を加える半径方向の予負荷エレメント２０，２１が設けられている。【選択図】図１
2004316913.tif 000002
【特許請求の範囲】
【請求項１】
電磁弁であって、電磁弁カートリッジ（３）が設けられていて、該電磁弁カートリッジ（３）がポット形のハウジング（１３）と極コア（１４）と可動子（１５）とを有しており、さらに磁石群（２）が設けられていて、該磁石群（２）がコイル体（７）と巻線（８）とを有しており、磁石群（２）が電磁弁カートリッジ（３）を取り囲んで配置されている形式のものにおいて、磁石群（２）が電磁弁カートリッジ（３）に対して予め規定された所定の位置を占めるように、磁石群（２）に対して半径方向の力（Ｆ１，Ｆ２）を加える半径方向の予負荷エレメント（２０，２１）が設けられていることを特徴とする電磁弁。
【請求項２】
半径方向の予負荷エレメント（２０，２１）が磁石群（２）の外側に配置されている、請求項１記載の電磁弁。
【請求項３】
半径方向の予負荷エレメント（２０，２１）の力（Ｆ１，Ｆ２）が内方に向かって方向付けられている、請求項１又は２記載の電磁弁。
【請求項４】
電磁弁が、第１の半径方向の予負荷エレメント（２０）と第２の半径方向の予負荷エレメント（２１）とを有している、請求項１から３までのいずれか１項記載の電磁弁。
【請求項５】
第１の半径方向の予負荷エレメント（２０）が磁石群（２）に対して第１の半径方向の力（Ｆ１）を加え、かつ第２の半径方向の予負荷エレメント（２１）が磁石群（２）に対して第２の半径方向の力（Ｆ２）を加えるようになっていて、該第２の半径方向の力（Ｆ２）が第１の半径方向の力（Ｆ１）に対して９０°の角度（α）だけずらされて、磁石群（２）に作用する、請求項４記載の電磁弁。
【請求項６】
第１の半径方向の力（Ｆ１）が第２の半径方向の力（Ｆ２）と同じ大きさである、請求項４又は５記載の電磁弁。
【請求項７】
磁石群（２）に対して軸方向の力（ＦＡ）を加える軸方向予負荷エレメント（２２）が設けられている、請求項１から６までのいずれか１項記載の電磁弁。
【請求項８】
軸方向予負荷エレメント（２２）が圧縮ばね、特にコイルばね又は皿ばねとして、又は圧力シリンダとして形成されている、請求項７記載の電磁弁。
【請求項９】
半径方向の予負荷エレメントが圧縮ばね、特にコイルばね又は皿ばねとして、又は圧力シリンダとして形成されている、請求項１から８までのいずれか１項記載の電磁弁。
【請求項１０】
電磁弁が、ブレーキ系及び／又はアンチロックブレーキ系及び／又はアンチスリップ系及び／又は電子式のスタビリティ系において使用される、請求項１から９までのいずれか１項記載の電磁弁。
【発明の詳細な説明】
【技術分野】
【０００１】
本発明は、電磁弁カートリッジと磁石群とを備えた電磁弁に関する。
【背景技術】
【０００２】
公知の電磁弁は例えば電磁弁カートリッジと磁石群とから成っており、この電磁弁カートリッジと磁石群とはそれぞれ別体の構成群として設けられている。電磁弁カートリッジはほぼポット形のハウジングを有していて、このハウジング内には極コアと可動子とが配置されている。可動子は長手方向運動可能に配置されていて、開閉部材を操作するために働く。磁石群は、巻線と電気的な接点とが配置されているコイル体と、外側のハウジングとを有している。両方の構成群つまり電磁弁カートリッジと磁石群とは、簡単な差込み組立てによって組み立てられ、この場合磁石群が電磁弁カートリッジに被せ嵌められる。
【０００３】
構成群の個々の部材のそれぞれの許容誤差に基づいて及び単純な差込み組立てに基づいて、電磁弁においては、電磁弁カートリッジと磁石群との間に様々な遊びが生じる。これによって電磁弁は、磁石群と電磁弁カートリッジとの間に種々様々な中間室を有し、その結果電磁弁は電磁弁カートリッジと磁石群との間の相対位置に関して付加的な自由度を有することになる。しかしながらこのようなことは、電磁弁の機能特性値のばらつきに大きな影響がある。言い換えれば、偶然にでも電磁弁カートリッジと磁石群とが互いに同心的に位置している場合と、磁石群が電磁弁カートリッジの片側に接触している場合と、磁石群と電磁弁カートリッジとが前記２つの極端な位置の間の中間位置を占めている場合とで、電磁弁においては大きな違いが生じることになる。
【発明の開示】
【発明が解決しようとする課題】
【０００４】
ゆえに本発明の課題は、磁石群と電磁弁カートリッジとの間において組立て時に常に所定の相対位置を得ることができ、ひいては機能特性値におけるばらつきを回避することができる電磁石を提供することである。
【課題を解決するための手段】
【０００５】
この課題を解決するために本発明の構成では、電磁弁であって、電磁弁カートリッジが設けられていて、該電磁弁カートリッジがポット形のハウジングと極コアと可動子とを有しており、さらに磁石群が設けられていて、該磁石群がコイル体と巻線とを有しており、磁石群が電磁弁カートリッジを取り囲んで配置されている形式のものにおいて、磁石群が電磁弁カートリッジに対して予め規定された所定の位置を占めるように、磁石群に対して半径方向の力を加える半径方向の予負荷エレメントが設けられているようにした。
【発明の効果】
【０００６】
本発明のように構成された電磁弁には、公知のものに比べて次のような利点、磁石群が常に電磁弁カートリッジに対して予め規定された所定の位置を占めるという利点がある。このことは本発明によれば、半径方向の予負荷エレメントが設けられていて、この予負荷エレメントが、磁石群を常に電磁弁カートリッジに対して規定された位置に保つために、半径方向の力を磁石群に対して加えることによって、達成される。これによって本発明によれば、電磁石の機能特性値のばらつきを生ぜしめる原因である自由度を、消滅させることができる。従って本発明は電磁石の部材品質を高めることができ、これによって運転時における電磁弁の精度が改善され、その結果噴射量及び調節圧を極めて正確に調量することが可能になる。
【０００７】
本発明の別の有利な構成は、請求項２以下に記載されている。
【０００８】
本発明の有利な構成では、半径方向の力を準備するために、半径方向の予負荷エレメントが磁石群の外側に配置されている。これによって電磁弁カートリッジに対して磁石群を、簡単かつ安価に所定のように位置決めすることが可能になる。半径方向に作用する予負荷エレメントの力が内方に向かって方向付けられていると、有利である。
【０００９】
電磁弁カートリッジに対して磁石群をさらに改善して位置決めするためには、電磁弁が、第１の予負荷エレメントと第２の予負荷エレメントとを有している。このように構成することによって、電磁弁カートリッジに対する磁石群の規定された位置を一平面において実現することができる。本発明の特に有利な構成では、第１の予負荷エレメントの第１の半径方向の力が、第２の予負荷エレメントの第２の半径方向の力に対して９０°だけずらされて作用するようになっており、その結果第１の力と第２の力とは磁石群に対して直角に作用する。
【００１０】
本発明の別の有利な構成では、電磁弁が、磁石群に対して軸方向の力を加える軸方向予負荷エレメントを有している。このように構成されていると、磁石群が電磁弁カートリッジから軸方向において持ち上がることを、阻止することができる。この場合軸方向予負荷エレメントが圧縮ばね、特にコイルばね又は皿ばねとして、又は圧力シリンダとして形成されていると、特に有利である。
【００１１】
本発明のさらに別の有利な構成では、半径方向の予負荷エレメントが圧縮ばね、特にコイルばね又は皿ばねとして、又は圧力シリンダとして形成されている。
【００１２】
さらにまた本発明による電磁弁は、ブレーキ系において、例えばアンチロックブレーキ系（ＡＢＳ）、アンチスリップ系（ＡＳＲ）及び／又は電子式のスタビリティ系（ＥＳＰ）において、特に有利に使用される。
【発明を実施するための最良の形態】
【００１３】
次に図面を参照しながら本発明の実施の形態を説明する。
【００１４】
以下においては図１〜図４を参照しながら、本発明の１実施例による電磁弁１について記載する。
【００１５】
図１に示されているように、電磁弁は電気的な部分として磁石群２を有し、かつ液圧的な部分として電磁弁カートリッジ３を有している。磁石群２は図２に詳しく示されており、かつ電磁弁カートリッジ３は図３に詳しく示されている。電磁弁１は第１のねじ山付ブシュ５と第２のねじ山付ブシュ６とを介して弁ブロック４内に固定されている。
【００１６】
図２に示されているように、磁石群２はコイル体７を有しており、このコイル体７には巻線８が設けられている。コイル体７はさらに電気的な接点９を有していて、ハウジング１０内に配置されている。ハウジング１０の内周部は、電磁弁カートリッジ３のための第１の接点領域１１を形成し、かつコイル体７の内周部は電磁弁カートリッジ３のための第２の接点領域１２を形成している。両接点領域１１，１２は、図１に示されているように、組み立てられた状態において電磁弁カートリッジ３と接触接続している。
【００１７】
電磁弁カートリッジ３は極コア１４と可動子１５とを有しており、この極コア１４及び可動子１５はポット形のケーシング１３内に配置されている（図３参照）。可動子１５は長手方向可動に支承されていて、公知の形式で開閉部材１７を操作するために働く。可動子１５は、コイルばねとして形成された戻しエレメント１６を用いて、電磁弁の操作後に再びその出発位置に戻される。可動子１５はこの場合、ほぼ中空円筒形のガイドエレメント１８内において電磁弁の長手方向で可動である。
【００１８】
図１及び図４に示されているように、電磁弁１はさらに第１の予負荷エレメント２０と第２の予負荷エレメント２１とを有している。両予負荷エレメント２０，２１はこの場合圧縮ばねとして形成されていて、第１のねじ山付ブシュ５と磁石群２のハウジング１０との間に配置されている。特に図４から分かるように、第１の予負荷エレメント２０は９０°の角度αだけ第２の予負荷エレメント２１に対してずらされて配置されている。これによって第１の予負荷エレメント２０の第１の半径方向力Ｆ１と第２の予負荷エレメント２１の第２の半径方向力Ｆ２とは、互いに対して９０°ずらされた２つの方向から磁石群２に作用する。これによって、磁石群２が、場合によっては存在する個々の部材の製作誤差とは無関係に、規定されたように電磁弁カートリッジ３に接触することが可能になる。
【００１９】
これにより内方に向けられた２つの力Ｆ１，Ｆ２によって、磁石群２がその第１の接点領域１１及び第２の接点領域１２において、電磁弁カートリッジ３に規定されたように直接的に接触することが達成される。従って予負荷エレメント２０，２１を互いに直角に配置することによって、一平面において電磁弁カートリッジ３に対する磁石群２の規定された状態位置が得られる。
【００２０】
上述のことによって、従来技術において存在していた、磁石群２と電磁弁カートリッジ３との間における位置決めに関する自由度を、排除することができる。言い換えれば、電磁弁１の機能特性値のばらつきに対して責任のある自由度を排除することが可能である。
【００２１】
軸方向において電磁弁カートリッジ３から磁石群２が外れることを回避するために、さらに軸方向予負荷エレメント２２が設けられており、この軸方向予負荷エレメント２２はコイルばねとして形成されている。軸方向予負荷エレメント２２はカバー２３に配置されており、このカバー２３は第１のねじ山付ブシュ５にねじ込まれている。軸方向予負荷エレメント２２はピン２４及び皿形エレメント２５を介してカバー２３内においてセンタリングされている。軸方向予負荷エレメント２２の軸方向力ＦＡは、ポット形部材２６を介して磁石群２のハウジング１０に伝達される。
【００２２】
なお付言すれば、本発明による電磁弁１は例えば直接的に、液圧ユニット内に設置することも可能であり、この場合には液圧ユニット内には、例えばカバー２３の代わりに取付け制御装置のハウジングが電磁弁１の上に取り付けられている。
【００２３】
電磁弁カートリッジ３に対して磁石群２を本発明のように位置決めすることによって、電磁弁における機能特性値のばらつきを著しく減じることができる。そしてこれによって、電磁弁の著しい品質改善が可能になり、かつ運転時における電磁弁の改善された機能精度を保証することができる。
【図面の簡単な説明】
【００２４】
【図１】本発明の１実施例による電磁弁を示す断面図である。
【図２】図１に示された電磁弁の磁石群を示す断面図である。
【図３】図１に示された電磁弁の電磁弁カートリッジを示す断面図である。
【図４】図１に示された電磁弁を上から見た図であって、電磁弁カートリッジもしくは磁石群の上における図１に示されたカバー領域を省いて示す図である。
【符号の説明】
【００２５】
１  電磁弁、  ２  磁石群、  ３  電磁弁カートリッジ、  ４  弁ブロック、  ５，６  ねじ山付ブシュ、  ７  コイル体、  ８  巻線、  ９  接点、  １０  ハウジング、  １１，１２  接点領域、  １３  ハウジング、  １４  極コア、  １５  可動子、  １６  戻しエレメント、  １７  開閉部材、  １８  ガイドエレメント、  ２０，２１  予負荷エレメント、  ２２  軸方向予負荷エレメント、  ２３  カバー、  ２４  ピン、  ２５  皿形エレメント、  ２６  ポット形部材
【図１】
2004316913.tif 000003
【図２】
2004316913.tif 000004
【図３】
2004316913.tif 000005
【図４】
2004316913.tif 000006